(57)【要約】
【課題】　アナログテレビジョン信号に基づく中間周波信号及びデジタルテレビジョン信号に基づく中間周波信号を歪ませることなく、且つ、アナログテレビジョン信号及びデジタルテレビジョン信号のそれぞれの伝送に必要な特性で中間周波回路に供給する。
【解決手段】　第一の中間周波信号が入力される第一のＳＡＷフィルタ２９ａと、第二の中間周波信号が入力される第二のＳＡＷフィルタ３０ａと、中間周波増幅器２２と第一及び第二のＳＡＷフィルタ１９ａ、３０ａとの間に介挿された分配器２５とを備え、分配器２５の入力端をリアクタンス手段２６によってグランドに接続し、リアクタンス手段２５のリアクタンス値を第一及び第二のＳＡＷフィルタ２９ａ、３０ａのそれぞれの入力インピーダンスのリアクタンス成分と共役関係となるように切り替えた。
【選択図】　　　　図１
0003100042.tif 000002
【実用新案登録請求の範囲】
【請求項１】
アナログテレビジョン信号に基づく第一の中間周波信号又はデジタルテレビジョン信号に基づく第二の中間周波信号が入力される中間周波増幅器と、前記中間周波増幅器から出力された前記第一の中間周波信号が入力される第一のＳＡＷフィルタと、前記中間周波増幅器から出力された前記第二の中間周波信号が入力される第二のＳＡＷフィルタと、前記中間周波増幅器と前記第一及び第二のＳＡＷフィルタとの間に介挿された分配器とを備え、前記分配器の入力端をリアクタンス手段によってグランドに接続し、前記リアクタンス手段のリアクタンス値を前記第一及び第二のＳＡＷフィルタのそれぞれの入力インピーダンスのリアクタンス成分と共役関係となるように切り替えたことを特徴とするテレビジョンチューナ。
【請求項２】
前記第一及び第二のＳＡＷフィルタは容量性の入力インピーダンスを有し、前記リアクタンス手段は第一のインダクタンス素子と第一の容量素子との直列回路で構成され、前記直列回路の共振周波数を前記中間周波信号の周波数以下とし、前記第一の容量素子に並列にスイッチ手段を接続したことを特徴とする請求項１に記載のテレビジョンチューナ。
【請求項３】
前記分配器を、前記入力端を中点とする分配トランスで構成したことを特徴とする請求項１又は２に記載のテレビジョンチューナ。
【請求項４】
前記中間周波増幅器の出力端とグランドとの間に第二のインダクタンス素子と第二の容量素子とからなる直列共振回路を接続し、前記第二のインダクタンス素子と前記第二の容量素子との接続点に前記分配器の入力端を結合したことを特徴とする請求項２又は３に記載のテレビジョンチューナ。
【考案の詳細な説明】
【技術分野】
【０００１】
　本考案はアナログテレビジョン信号とデジタルテレビジョン信号とを受信できるテレビジョンチューナに関する。
【背景技術】
【０００２】
　従来のテレビジョンチューナを図５に示す。アナログテレビジョン信号及びデジタルテレビジョン信号は入力同調回路１、高周波増幅器２、段間同調回路３を順次に介して混合器４に入力される。これらテレビジョン信号は、発振器５から混合器４に供給される局部発振信号と混合されて中間周波信号に変換される。ここで、アナログテレビジョン信号に基づく中間周波信号を第一の中間周波信号とし、デジタルテレビジョン信号に基づく中間周波信号を第二の中間周波信号として区別する。
【０００３】
　混合器４の出力側にはインダクタンス素子８ａが接続され、インダクタンス素子８ａには第一のスイッチダイオード６を介して第一の中間周波信号を処理するアナログ中間周波回路１３が接続され、同様に、インダクタンス素子８ａには第二のスイッチダイオード７を介して第二の中間周波信号を処理するデジタル中間周波回路１４が接続される。第一のスイッチダイオード６と第二のスイッチダイオード７とは、オン／オフの動作が逆となるように制御される。そして、第一のスイッチダイオード６とアナログ中間周波回路１３との接続点が第一の容量素子８ｂによって接地され、第二のスイッチダイオード７とデジタル中間周波回路１４との接続点が第二の容量素子９ｂによって接地される。
【０００４】
　この構成においては、アナログテレビジョン信号の受信時に第一のスイッチダイオード６がオンとなり、混合器４から出力された第一の中間周波信号が第一のスイッチダイオード６を介してアナログ中間周波回路１３に入力される。このとき、インダクタンス素子８ａと第一の容量素子８ｂとによって隣接チャンネルの中間周波信号を減衰するローパスフィルタが形成される。また、第二のスイッチダイオード７はオフであるので、デジタル中間周波回路１４から出力される逆方向の妨害信号はアナログ中間周波回路１３に入力されない。
【０００５】
　一方、デジタルテレビジョン信号の受信時に第二のスイッチダイオード７がオンとなり、混合器４から出力された第二の中間周波信号が第二のスイッチダイオード７を介してデジタル中間周波回路１４に入力される。このとき、インダクタンス素子８ａと第二の容量素子９ｂとによって隣接チャンネルの中間周波信号を減衰するローパスフィルタが形成される。また、第一のスイッチダイオード６はオフであるので、アナログ中間周波回路１３から出力される逆方向の妨害信号はデジタル中間周波回路１４に入力されない（例えば、特許文献１参照。）。
【０００６】
【特許文献１】特開２００１−１１１９０５号公報（図１）
【考案の開示】
【考案が解決しようとする課題】
【０００７】
　アナログテレビジョン信号に基づく中間周波信号及びデジタルテレビジョン信号に基づく中間周波信号はそれぞれオン状態の第一のスイッチダイオード６、第二のスイッチダイオード７を介してアナログ中間周波回路１３、デジタル中間周波回路１４に入力されるので、それぞれの中間周波信号がスイッチダイオードの非直線特性によって歪むという問題がある。
【０００８】
　また、混合器４とアナログ中間周波回路１３及びデジタル中間周波回路１４との間にはそれぞれローパスフィルタが介挿されるだけであるので、それぞれの中間周波信号に適合する伝送特性が得れないという問題がある。
【０００９】
　本考案は、アナログテレビジョン信号に基づく中間周波信号及びデジタルテレビジョン信号に基づく中間周波信号を歪ませることなく、且つ、アナログテレビジョン信号及びデジタルテレビジョン信号のそれぞれの伝送に必要な特性で中間周波回路に供給するようにすることを目的とする。
【課題を解決するための手段】
【００１０】
　上記課題を解決するため、アナログテレビジョン信号に基づく第一の中間周波信号又はデジタルテレビジョン信号に基づく第二の中間周波信号が入力される中間周波増幅器と、前記中間周波増幅器から出力された前記第一の中間周波信号が入力される第一のＳＡＷフィルタと、前記中間周波増幅器から出力された前記第二の中間周波信号が入力される第二のＳＡＷフィルタと、前記中間周波増幅器と前記第一及び第二のＳＡＷフィルタとの間に介挿された分配器とを備え、前記分配器の入力端をリアクタンス手段によってグランドに接続し、前記リアクタンス手段のリアクタンス値を前記第一及び第二のＳＡＷフィルタのそれぞれの入力インピーダンスのリアクタンス成分と共役関係となるように切り替えた。
【００１１】
　また、前記第一及び第二のＳＡＷフィルタは容量性の入力インピーダンスを有し、前記リアクタンス手段は第一のインダクタンス素子と第一の容量素子との直列回路で構成され、前記直列回路の共振周波数を前記中間周波信号の周波数以下とし、前記第一の容量素子に並列にスイッチ手段を接続した。
【００１２】
　また、前記分配器を、前記入力端を中点とする分配トランスで構成した。
【００１３】
　また、前記中間周波増幅器の出力端とグランドとの間に第二のインダクタンス素子と第二の容量素子とからなる直列共振回路を接続し、前記第二のインダクタンス素子と前記第二の容量素子との接続点に前記分配器の入力端を結合した。
【考案の効果】
【００１４】
　本考案では、中間周波増幅器から出力された第一の中間周波信号が入力される第一のＳＡＷフィルタと、中間周波増幅器から出力された第二の中間周波信号が入力される第二のＳＡＷフィルタと、中間周波増幅器と第一及び第二のＳＡＷフィルタとの間に介挿された分配器とを備え、分配器の入力端をリアクタンス手段によってグランドに接続し、リアクタンス手段のリアクタンス値を第一及び第二のＳＡＷフィルタのそれぞれの入力インピーダンスのリアクタンス成分と共役関係となるように切り替えたので、ＳＡＷフィルタの入力リアクタンス成分がキャンセルされてそれらの伝送特性を平坦にすることができる。
【００１５】
　また、第一及び第二のＳＡＷフィルタは容量性の入力インピーダンスを有し、リアクタンス手段は第一のインダクタンス素子と第一の容量素子との直列回路で構成され、直列回路の共振周波数を中間周波信号の周波数以下とし、第一の容量素子に並列にスイッチ手段を接続したので、スイッチ手段をオン／オフすることでリアクタンス手段のリアクタンス値を二つのＳＡＷフィルタの入力リアクタンスに対応して切り替えることができる。
【００１６】
　また、分配器を、その入力端を中点とする分配トランスで構成したので、二つのＳＡＷフィルタ間の干渉がない。
【００１７】
　また、中間周波増幅器の出力端とグランドとの間に第二のインダクタンス素子と第二の容量素子とからなる直列共振回路を接続し、第二のインダクタンス素子と第二の容量素子との接続点に分配器の入力端を結合したので、第二のインダクタンス素子のインピーダンスと第二の容量素子のインピーダンスとの比を適宜に設定することで分配器とのインピーダンス整合を得ることができる。
【考案を実施するための最良の形態】
【００１８】
　図１に本考案のテレビジョンチューナの回路を示す。アナログテレビジョン信号及びデジタルテレビジョン信号は入力同調回路１、高周波増幅器２、段間同調回路３を順次に介して混合器４に入力される。これらテレビジョン信号は、発振器５から混合器４に供給される局部発振信号と混合されて中間周波信号に変換される。ここで、アナログテレビジョン信号に基づく中間周波信号を第一の中間周波信号とし、デジタルテレビジョン信号に基づく中間周波信号を第二の中間周波信号として区別する。
【００１９】
　混合器４の出力側には中間周波同調回路２１、中間周波増幅器２２が縦続接続され、中間周波同調回路２１によって隣接チャンネルの中間周波信号が減衰され、中間周波帯域内の中間周波信号が所定レベルまで増幅される。
【００２０】
　中間周波増幅器２２の出力端は第二のインダクタンス素２３ａと第二の容量素子２３ｂとからなる直列共振回路２３を介して接地される。この直列共振回路２３はほぼ中間周波帯に共振し、第二のインダクタンス素子２３ａが中間周波増幅器２２の出力端側に設けられ、第二の容量素子３ｂがグランド側に設けられる。第二のインダクタンス素子２３ａと第二の容量素子２３ｂとの接続点が結合用容量素子２４を介して分配器（２分配器）２５の入力端に結合される。よって、第二のインダクタンス素子２３ａと第二の容量手段２３ｂとのインピーダンス比によって分配器２５にインピーダンス整合させることができる。
【００２１】
　また、分配器２５の入力端とグランドとの間には第一のインダクタンス素子２６ａと第一の容量素子２６ｂとの直列回路からなるリアクタンス手段２６によってグランドに接続され、第一のインダクタンス素子が分配器２５に接続され、第一の容量素子がグランドに接続される。リアクタンス手段２６は中間周波帯よりも低い周波数に共振している。従って、中間周波帯以上の周波数では誘導性となる。
【００２２】
　第一の容量素子２６ｂにはスイッチ手段２７が並列に接続される。スイッチ手段２７はトランジスタで構成され、そのコレクタが第一のインダクタンス素子２６ａと第一の容量手段２６ｂとの接続点に接続され、エミッタは接地される。結合用容量素子２４に並列接続された抵抗２８によって中間周波増幅器２２の出力端からトランジスタへ給電される。なお、スイッチ手段２７は中間周波増幅器２２から第一の中間周波信号が出力されるとき（アナログテレビジョン信号の受信時）にオンし、中間周波増幅器２２から第二の中間周波信号が出力されるとき（デジタルテレビジョン信号の受信時）にオフするように制御される。
【００２３】
　分配器２５はフェライトコア（図示せず）に導線２５ａが巻回された分配トランスからなり、その一方の出力端にアナログ中間周波回路２９が接続され、他方の出力端にデジタル中間周波回路３０が接続される。アナログ中間周波回路２９はその初段に第一のＳＡＷフィルタ２９ａを有し、第一の中間周波信号を処理する。第一のＳＡＷフィルタ２９ａは図２に示すような４２．１７ＭＨｚの色副搬送波周波数と４５．７５ＭＨｚの映像中間周波数との間がほぼフラットとなり、４１．２５ＭＨｚの音声中間周波数で大きく減衰する伝送特性となることが望ましい。
【００２４】
　デジタル中間周波回路３０はその初段に第二のＳＡＷフィルタ３０ａを有し、第二の中間周波信号を処理する。第二のＳＡＷフィルタ３０ａは図３に示すようなほぼ４１．６ＭＨｚから４６．４ＭＨｚとの間はフラットとなる伝送特性となることが望ましい。これは変調されたデジタル信号を帯域全体にわたって伝送する必要があるためである。
【００２５】
　また、第一及び第二のＳＡＷフィルタ２９ａ、３０ａの等価的な入力インピーダンスは、図４に示すように抵抗成分Ｒｉと容量性分Ｃｉとの並列回路で示される。即ち入力インピーダンスは容量性である。抵抗成分Ｒｉはほぼ１ＫΩである。容量性分Ｃｉは２０ｐＦ程度であるが、伝送特性の違いから第一のＳＡＷフィルタ２９ａの容量性分が第二のＳＡＷフィルタ３０ａのそれよりも若干大きい。
【００２６】
　以上の構成において、スイッチ手段２７がオンすると（アナログテレビジョン信号の受信時）リアクタンス手段２６は第一のインダクタンス素子２６ａのみとなる。そして、そのインダクタンス値は第一のＳＡＷフィルタ２９ａの等価的な容量性分Ｃｉと中間周波帯で共役関係となるように決められる。この結果、第一のＳＡＷフィルタ２９ａは周波数依存性がなくなり図２に示す伝送特性となる。
【００２７】
　また、スイッチ手段２７がオフすると（デジタルテレビジョン信号の受信時）リアクタンス手段２６は第一のインダクタンス素子２６ａに第一の容量素子２６ｂが直列接続された状態になり、その等価的なインダクタンス値は第一のインダクタンス素子２６ａのそれよりも小さくなる。そして、等価的なインダクタンス値が第二のＳＡＷフィルタ３０ａの等価的な容量性分Ｃｉと中間周波帯で共役関係となるように第一の容量素子２６ｂの容量値によって決められる。この結果、第二のＳＡＷフィルタ３０ａは周波数依存性がなくなり図３に示す伝送特性となる。
【００２８】
　そして、分配器５は分配トランスで構成されているので二つの出力端同士は結合せず、よってそこに接続されたアナログ中間周波回路２９とデジタル中間周波回路３０とは互いに影響し合うことはない。
【図面の簡単な説明】
【００２９】
【図１】本考案のテレビジョンチューナの構成を示す回路図である。
【図２】本考案のテレビジョンチューナに使用されるＳＡＷフィルタの理想伝送特性図である。
【図３】本考案のテレビジョンチューナに使用されるＳＡＷフィルタの理想伝送特性図である。
【図４】本考案のテレビジョンチューナに使用されるＳＡＷフィルタの等価入力回路図である。
【図５】従来のテレビジョンチューナの構成を示す回路図である。
【符号の説明】
【００３０】
　１：入力同調回路
　２：高周波増幅器
　３：段間同調回路
　４：混合器
　５：発振器
　２１：中間周波同調回路
　２２：中間周波増幅器
　２３：直列共振回路
　２３ａ：第二のインダクタンス素子
　２３ｂ：第二の容量素子
　２４：結合用容量素子
　２５：分配器
　２５ａ：導線
　２６：リアクタンス手段
　２６ａ：第一のインダクタンス素子
　２６ｂ：第一の容量素子
　２７：スイッチ手段
　２８：抵抗
　２９：アナログ中間周波回路
　２９ａ：第一のＳＡＷフィルタ
　３０：デジタル中間周波回路
　３０ａ：第二のＳＡＷフィルタ
【図１】
0003100042.tif 000003
【図２】
0003100042.tif 000004
【図３】
0003100042.tif 000005
【図４】
0003100042.tif 000006
【図５】
0003100042.tif 000007